(57)【要約】【課題】種々の非定形被記録媒体における所定の記録領域への正確な記録が可能な技術を提供すること。【解決手段】原稿の有無を判定し（ステップＳ１０１）た上でスキャンする（ステップＳ１０２）。取り込んだ画像を表示し（ステップＳ１０４）、表示された取り込み画像を見ながら、原稿５の所定の記録領域に記録すべき文字や画像を入力する（ステップＳ１０５）。原稿５をプリンタ部へセットし（ステップＳ１０６）、記録前処理が開始される（ステップＳ１０７）。記録ヘッドに設けられたスキャナ素子が原稿５をスキャンする（ステップＳ１０８）。原稿５が取り込み画像情報と一致するか否かを判定しながら（ステップＳ１０９）、記録を実行する（ステップＳ１１０）。一致しない場合には記録を実行せず、エラーメッセージを表示する（ステップＳ１０３）。【選択図】  図１０
2006272652.tif 000002
【特許請求の範囲】
【請求項１】
被記録媒体の画像を読み取る第１の画像読取手段と、該第１の画像読取手段から読み取った前記被記録媒体の画像情報を受信して処理する画像処理手段と、該画像処理手段から前記被記録媒体の画像情報を受信して該被記録媒体の画像を表示する画像表示手段と、該画像表示手段に表示された前記被記録媒体の所定の記録領域に記録する記録情報を入力する入力手段と、該入力手段により入力された前記記録情報を受信して前記被記録媒体に記録を行う記録手段を含み、該記録手段は、記録ヘッドユニットと、該記録ヘッドユニットに備えられた第２の画像読取手段を有する記録システムにおいて、
前記第１の画像読取手段は前記被記録媒体及び前記所定の記録領域の画像を読み取り、前記画像表示手段が該被記録媒体及び前記所定の記録領域の画像を表示すると共に、前記入力手段により前記所定の記録領域に記録する記録情報を入力し、前記記録手段は、該記録情報を受信して前記被記録媒体の所定の記録領域に記録を行う場合に、前記第２の画像読取手段により再度前記被記録媒体及び前記所定の記録領域の画像を読み取る記録システムであって、更に、該読み取った記録領域と前記所定の記録領域に記録する記録情報とが適合するか否かを判定する判定手段を有し、該判定手段により前記読み取った記録領域と前記所定の記録領域に記録する記録情報とが適合するか否かを判定しながら記録を行うことを特徴とする記録システム。
【請求項２】
請求項１記載の記録システムにおいて、前記被記録媒体は非定型の被記録媒体であることを特徴とする記録システム。
【請求項３】
請求項１又は２記載の記録システムにおいて、前記第１の画像読取手段はスキャナにより構成され、前記画像処理手段はパーソナルコンピュータにより構成され、前記画像表示手段は前記パーソナルコンピュータに接続されたディスプレイにより構成され、前記記録手段及び前記判定手段は前記パーソナルコンピュータに接続されたプリンタにより構成されることを特徴とする記録システム。
【請求項４】
請求項１又は２記載の記録システムにおいて、前記記録システムは、前記第１の画像読取手段としてのスキャナ部と、前記画像処理手段及び前記判定手段としての制御部と、前記画像表示手段としての表示パネル部と、前記記録手段としての記録部を有するプリンタ複合機により構成されることを特徴とする記録システム。
【請求項５】
請求項１乃至４記載の記録システムにおいて、前記判定手段が前記読み取った記録領域と前記所定の記録領域に記録する記録情報とが適合しないと判定した場合には、記録を中止することを特徴とする記録システム。
【請求項６】
請求項５記載の記録システムにおいて、更に、前記判定手段が前記読み取った記録領域と前記所定の記録領域に記録する記録情報とが適合しないと判定した場合には、ユーザへ該判定に関する報知を行う報知手段を有することを特徴とする記録システム。
【請求項７】
請求項６記載の記録システムにおいて、前記報知手段は、前記画像表示手段にエラー表示を行うことにより前記判定に関する報知を行うことを特徴とする記録システム。
【請求項８】
請求項２乃至７記載の記録システムにおいて、前記記録手段は、前記非定型の被記録媒体を複数連続して記録部に供給する被記録媒体供給機構を有するものであることを特徴とする記録システム。
【請求項９】
記録装置により被記録媒体の所定の記録領域に記録を行う記録方法であって、
前記被記録媒体及び前記所定の記録領域の画像を読み取る第１の画像読取工程と、
読み取った前記被記録媒体及び前記所定の記録領域の画像を表示する画像表示工程と、
該表示された前記被記録媒体の所定の記録領域に記録する記録情報を入力する入力工程と、
再度、前記被記録媒体及び前記所定の記録領域の画像を読み取る第２の画像読取工程と、
更に、該読み取った記録領域と前記所定の記録領域に記録する記録情報とが適合するか否かを判定する判定工程と、
該判定工程により前記読み取った記録領域と前記所定の記録領域に記録する記録情報とが適合する場合に、記録を実行する記録工程とを有することを特徴とする記録方法。
【請求項１０】
被記録媒体の所定の記録領域に記録を行うように記録装置を制御するためのコンピュータプログラムであって、
前記被記録媒体及び前記所定の記録領域の画像を読み取る第１の画像読取機能と、
読み取った前記被記録媒体及び前記所定の記録領域の画像を表示する画像表示機能と、
該表示された前記被記録媒体の所定の記録領域に記録する記録情報を入力する入力機能と、
再度、前記被記録媒体及び前記所定の記録領域の画像を読み取る第２の画像読取機能と、
更に、該読み取った記録領域と前記所定の記録領域に記録する記録情報とが適合するか否かを判定する判定機能と、
該判定により前記読み取った記録領域と前記所定の記録領域に記録する記録情報とが適合する場合に、記録を実行する機能とを備えることを特徴とするコンピュータプログラム。
【請求項１１】
請求項１０に記載のコンピュータプログラムを、コンピュータ読み取り可能に記録したことを特徴とする記録媒体。
【発明の詳細な説明】
【技術分野】
【０００１】
本発明は、記録システム及び記録方法に関し、特に、種々の非定形被記録媒体への記録が可能な記録システム及び記録方法に関する。
【背景技術】
【０００２】
従来、かかる記録システム等としては、ＣＤ−Ｒ等の被記録媒体のラベル面に記録を行えるインクジェット式記録装置が開示されている。かかるインクジェット式記録装置では、被記録媒体を嵌め込むことが可能な形に形成されたディスクトレイを用いる。かかるインクジェット式記録装置に関し、例えば、記録時に、被記録媒体表面の記録できる領域、被記録媒体の正確な位置等をセンサによって検出し、記録可能領域と記録用データとのずれを防止する技術も提案されている（例えば、特許文献１参照）。
一方、インクジェット式記録装置を用いて、ビデオテープラベルやＭＤ（Ｍｉｎｉ  Ｄｉｓｃ）ラベル等の非定形用紙に記録する場合、例えば、一度Ａ４用紙等に試し記録を行い、記録位置を確認した上で記録対象となるビデオテープラベル等をＡ４用紙等に貼り付けて記録を実行するようにしていた。
【０００３】
【特許文献１】特開２００２−１２７５３０号公報
【発明の開示】
【発明が解決しようとする課題】
【０００４】
しかし、記録装置は、ユーザが指定した記録領域で記録を行うため、被記録媒体に記録すべき記録用データが、記録可能領域内に存在するか否かを判断することなく記録を行う。このため、記録可能領域を超えて記録を行うことがあり、被記録媒体や、被記録媒体を嵌め込むトレイなどを汚してしまうという問題があった。また、記録用データが記録可能領域に存在しない場合に、ユーザが、記録用データを手動で調整し、記録可能領域に適合させるという手段もあるが、非常に煩雑であった。
一方、上述したように、一度Ａ４用紙等に試し記録を行った上でビデオテープラベル等をＡ４用紙等に貼り付けて記録を行う場合には、ユーザの手を煩わせるばかりでなく、記録位置がずれるという問題があった。
本発明は、上記課題に鑑みてなされたものであり、種々の非定形被記録媒体における所定の記録領域への正確な記録が可能な記録システム及び記録方法を提供することを目的とする。
【課題を解決するための手段】
【０００５】
上記課題を解決するために、本発明の記録システムは、被記録媒体の画像を読み取る第１の画像読取手段と、該第１の画像読取手段から読み取った前記被記録媒体の画像情報を受信して処理する画像処理手段と、該画像処理手段から前記被記録媒体の画像情報を受信して該被記録媒体の画像を表示する画像表示手段と、該画像表示手段に表示された前記被記録媒体の所定の記録領域に記録する記録情報を入力する入力手段と、該入力手段により入力された前記記録情報を受信して前記被記録媒体に記録を行う記録手段を含み、該記録手段は、記録ヘッドユニットと、該記録ヘッドユニットに備えられた第２の画像読取手段を有する記録システムにおいて、前記第１の画像読取手段は前記被記録媒体及び前記所定の記録領域の画像を読み取り、前記画像表示手段が該被記録媒体及び前記所定の記録領域の画像を表示すると共に、前記入力手段により前記所定の記録領域に記録する記録情報を入力し、前記記録手段は、該記録情報を受信して前記被記録媒体の所定の記録領域に記録を行う場合に、前記第２の画像読取手段により再度前記被記録媒体及び前記所定の記録領域の画像を読み取る記録システムであって、更に、該読み取った記録領域と前記所定の記録領域に記録する記録情報とが適合するか否かを判定する判定手段を有し、該判定手段により前記読み取った記録領域と前記所定の記録領域に記録する記録情報とが適合するか否かを判定しながら記録を行うことを特徴とする。
記録ヘッドユニットとは、記録ヘッドのみならず該記録ヘッドが搭載されて走査方向に移動するための移動手段、例えば、キャリッジ等を含む概念であり、第２の画像読取手段は、記録ヘッド自体に備えられていても良いし、キャリッジ等の移動手段に備えられていても良い。
かかる構成によれば、記録手段は、前記第２の画像読取手段により再度前記被記録媒体の所定の記録領域の画像を読み取り、判定手段により前記読み取った記録領域と前記所定の記録領域に記録する記録情報とが適合するか否かを判定しながら記録を行うので、所定の記録領域への正確な記録が可能となり、ユーザの負担も軽減される。
また、本発明の記録システムにおいては、前記被記録媒体は非定型の被記録媒体であることを特徴とする。
非定型の被記録媒体とは、Ａ４用紙、Ｂ５用紙、Ｌ判写真用紙、ハガキ等の定型の被記録媒体以外のもの全てを含み、例えば、ビデオテープラベルやＭＤラベル等の小片のラベル、ユーザが任意の大きさに作成した用紙の他、例えば、ＣＤ−ＲＯＭ、ＤＶＤ等が挙げられ、円形、矩形、星形といった種々の形状を持つものに適用できる。
かかる構成によれば、非定型の被記録媒体における所定の記録領域への正確な記録が可能となり、ユーザの負担も軽減される。
また、本発明の記録システムにおいては、前記第１の画像読取手段はスキャナにより構成され、前記画像処理手段はパーソナルコンピュータにより構成され、前記画像表示手段は前記パーソナルコンピュータに接続されたディスプレイにより構成され、前記記録手段及び前記判定手段は前記パーソナルコンピュータに接続されたプリンタにより構成されることを特徴とする。
かかる構成によれば、本発明の記録システムは、パーソナルコンピュータとその周辺機器により比較的簡易に構成できる。
また、本発明の記録システムは、前記第１の画像読取手段としてのスキャナ部と、前記画像処理手段及び前記判定手段としての制御部と、前記画像表示手段としての表示パネル部と、前記記録手段としての記録部を有するプリンタ複合機により構成されることを特徴とする。
かかる構成によれば、プリンタ複合機により非定型の被記録媒体における所定の記録領域への正確な記録が可能となり、大変利便である。
また、本発明の記録システムにおいては、前記判定手段が前記読み取った記録領域と前記所定の記録領域に記録する記録情報とが適合しないと判定した場合には、記録を中止することを特徴とする。
かかる構成によれば、記録を中止することにより、不正確な記録の実行が未然に防止され、被記録媒体を無駄に使用しなくて済む。
【０００６】
また、本発明の記録システムにおいては、更に、前記判定手段が前記読み取った記録領域と前記所定の記録領域に記録する記録情報とが適合しないと判定した場合には、ユーザへ該判定に関する報知を行う報知手段を有することを特徴とする。
報知手段は、判定手段により判定された結果を、例えば、ディスプレイに表示する、音声により案内する、など種々の態様によりユーザに報知することとしても良い。
【０００７】
かかる構成によれば、再度読み取った記録領域と前記所定の記録領域に記録する記録情報とが適合しない場合にも、ユーザに報知することができるため、利便性を向上することが可能となる。ユーザは、報知を受けた後に、被記録媒体を差し替え、或いは記録情報を入力し直すようにしても良い。
【０００８】
また、本発明の記録システムにおいては、前記報知手段は、前記画像表示手段にエラー表示を行うことにより前記判定に関する報知を行うことを特徴とする。
【０００９】
かかる構成によれば、ユーザは、不正確な記録を実行しなくて済み、被記録媒体の差し替え等、適切な対処を行い易くなる。
【００１０】
また、本発明の記録システムにおいては、前記記録手段は、前記非定型の被記録媒体を複数連続して記録部に供給する被記録媒体供給機構を有するものであることを特徴とする。
かかる構成によれば、前記の被記録媒体供給機構を有する記録システムにおいて、複数の被記録媒体中に間違って異なる被記録媒体を供給してしまった場合にも、当該非定型の被記録媒体における所定の記録領域への正確な記録が可能となり、大変利便である。
本発明は、被記録媒体への記録システムとしての構成の他、種々の態様で構成可能である。コンピュータによって、被記録媒体への記録を行う記録方法として構成しても良いし、被記録媒体への記録を行うための記録装置の制御をコンピュータに実現させるためのコンピュータプログラム、かかるコンピュータプログラムを記録したコンピュータ読み取り可能な記録媒体として構成しても良い。この場合、記録媒体としては、フレキシブルディスクや、ＣＤ−ＲＯＭ、ＤＶＤ、光磁気ディスク、ＩＣカード、ＲＯＭカートリッジ、パンチカード、バーコードなどの符号が記録された記録物、コンピュータの内部記憶装置（ＲＡＭやＲＯＭなどのメモリ）および外部記憶装置等、コンピュータが読み取り可能な種々の媒体を利用できる。
【発明を実施するための最良の形態】
【００１１】
以下、本発明の実施形態について説明する。
【００１２】
図１は、本発明の実施形態における記録システムの概略構成を表す図である。本実施形態の記録システムは、図１に示すように、画像処理手段としてのパーソナルコンピュータ１００（以下、単に「ＰＣ１００」と呼ぶ）と、記録手段、判定手段及び第１並びに第２の画像読取手段としての記録装置１を備えている。尚、本実施形態では、ＰＣ１００に接続された画像表示手段としてのディスプレイ１００Ａをも含んで記録システムが構成されているが、記録装置１の表示パネルにより画像表示手段を構成し、ディスプレイ１００Ａを設けない構成としても良い。尚、キーボード１００Ｂと、マウス１００Ｃは、それぞれＰＣ１００に接続され、入力装置（図８をも参照）を構成している。記録装置１は、カラーインクジェットプリンタ部３０（以下、単に「プリンタ部３０」と呼ぶ）と、第１の画像読取手段としてのスキャナ部１０（以下、単に「スキャナ部１０」と呼ぶ）を備えている。尚、このような記録装置１は、スキャナ部１０で読み取った原稿と同じものを複数枚連続して記録できるコピー機能も備えており、プリンタ、スキャナ、コピーの３機能を備えた、いわゆる複合機と呼ばれることもある。本実施形態では、ディスプレイ１００Ａを含むＰＣ１００、記録装置１の組合せを「記録システムＲＳ」と呼ぶ。このように、本実施形態の記録システムＲＳは、ＰＣとその周辺機器により比較的簡易に構成できる。
【００１３】
記録装置１のプリンタ部３０は、通常の給紙トレイ３２１のほかに、折り曲げることのできない厚紙やコンパクトディスクその他のデータ被記録媒体を記録する際に使用される手差し用の給紙口も備えている。
【００１４】
スキャナ部１０は、図２に示すように、本体に形成された画像取込み面１２に対して原稿（後述する非定型用紙としてのＭＤラベルシート）５を載置し、原稿台カバー１４をヒンジ機構４１（図４参照）を介して閉じ姿勢に設定することで、ＣＣＤ式やＣＩＳ式のスキャニング機構が、原稿５の画像情報をＲ、Ｇ、Ｂの３原色に色分解した状態でデジタル信号化して取込むよう構成されている。
＜記録装置１の概略構成＞
図１〜図４を参照して本実施形態に係る記録装置１の概略構成について説明する。図２は、本実施形態に係る記録装置１のスキャナ部１０のカバーを開いた状態を示す斜視図、図３は、記録装置１の内部構成を示す説明図、図４は、プリンタ部３０の内部を露出させた状態を示す斜視図である。本実施形態の記録装置１は、原稿画像を入力するためのスキャナ機能、画像データに基づいて画像を用紙等の媒体に記録するプリンタ機能、スキャナ機能により入力した画像を用紙等に記録するローカルコピー機能を有するスキャナ・プリンタ・コピー複合機（プリンタ複合機）である。
【００１５】
記録装置１は、原稿５の画像を読み取って画像データとして入力するためのスキャナ部１０と、画像データに基づいて画像を用紙等の被記録媒体に記録するプリンタ部３０と、記録装置１全体の制御を司る制御回路５０（図３参照）と、入力手段をなす操作パネル部７０とを有している。そして制御回路５０の制御により、スキャナ機能、プリンタ機能、及び、スキャナ部１０から入力されたデータをプリンタ部３０にて記録するローカルコピー機能を実現する。
【００１６】
スキャナ部１０はプリンタ部３０の上に配置され、スキャナ部１０の上部に、読み取る原稿５を載置するための原稿台ガラス１２と、シート状の原稿５を読み取る際や、不使用時に原稿台ガラス１２を覆う原稿台カバー１４が設けられている。原稿台カバー１４は、開閉可能に形成され、閉止した際には原稿台ガラス１２上に載置された原稿を原稿台ガラス１２側に押圧する機能も有している。また、図１に示すように、記録装置１の背面側にはプリンタ部３０へ被記録媒体を供給するための被記録媒体供給部３２が設けられ、前面側には下側に、記録された被記録媒体が排紙される排紙部３４、上側に入力手段としての操作パネル部７０が設けられており、プリンタ部３０に制御回路５０が内蔵されている。
【００１７】
排紙部３４には、不使用時に排紙口を塞ぐことが可能な排紙トレイ３４１が備えられ、被記録媒体供給部３２には、カット紙（図示しない）を保持する給紙トレイ３２１が備えられている。例えば、複数枚のＡ４カット紙（図示しない）を給紙トレイ３２１にセットすることにより、被記録媒体供給部３２によりＡ４カット紙は１枚ずつ記録部に供給される。また、Ａ４の大きさでなくても、例えば、複数枚の非定型の記録用紙等を給紙トレイ３２１にセットした場合でも、被記録媒体供給部３２により当該非定型の記録用紙等は１枚ずつ記録部に供給される。尚、記録に用いる媒体としては、カット紙など単票状記録用紙のみならず、ロール紙などの連続した記録用紙でも構わず、記録装置１がロール紙への記録を可能とする給紙構造を備えていてもよい。
【００１８】
以上のように、本実施形態の記録装置１は、非定型の被記録媒体を複数連続して記録部に供給する被記録媒体供給機構を有するものである。ところで、複数の同じ大きさの被記録媒体中に間違って異なる大きさの被記録媒体を混入してしまうことがあるが、かかる構成においては、このような場合にも、後述する本発明の記録領域検出の技術を用いることにより、当該間違った大きさの非定型の被記録媒体における所定の記録領域への正確な記録が可能である。
【００１９】
図４に示すように、プリンタ部３０とスキャナ部１０とは、背面側にてヒンジ機構４１により結合されており、ヒンジ機構４１の回動部を中心としてユニット化されたスキャナ部１０が手前側から持ち上げられる。スキャナ部１０を持ち上げた状態では、プリンタ部３０を覆うカバーの上部に設けられた開口３０１からプリンタ部３０の内部が露出される構成となっている。このようにプリンタ部３０の内部を露出させることにより、インクカートリッジ等の交換や、用紙詰まりの処理等を容易に行える構成としている。
【００２０】
また、本記録装置１への電源部はプリンタ部３０側に設けられており、前記ヒンジ機構４１の近傍にスキャナ部１０へ電源を供給するための給電ケーブル４３が設けられている。また、プリンタ部３０の側面には、図示しない電源ケーブルの差込口５２が設けられている。
＜操作パネル部７０の構成＞
図５は、図１及び図２に示した記録装置１の操作パネル部７０の構成の一例を示す図である。図５に示すように、操作パネル部７０はそのほぼ中央に表示部としての液晶ディスプレイ７２と、報知ランプ７４とが設けられている。液晶ディスプレイ７２は、設定項目や設定状態、動作状態等を文字にて表示することが可能である。液晶ディスプレイ７２の脇に設けられた報知ランプ７４は、エラー発生時に点灯してユーザにエラー発生を報知する。液晶ディスプレイ７２の右側には、カラーコピーボタン８４と、モノクロコピーボタン８６と、ストップボタン８８と、コピー枚数設定ボタン９０とが設けられている。
【００２１】
カラーコピーボタン８４は、カラーコピーを開始させるためのボタンであり、モノクロボタン８６はモノクロコピーを開始させるためのボタンである。コピー枚数・設定変更ボタン９０は、表面に「＋」又は「−」が表記された２つのボタン９０１，９０２で構成され、「＋」ボタン９０１を押すことにより設定枚数が増加され、「−」ボタン９０２を押すことにより設定枚数が減少される。また、前記ボタン９０１，９０２は、液晶ディスプレイ７２に表示された設定項目を変更する機能も有する。液晶ディスプレイ７２の手前側には、液晶ディスプレイ７２に表示される設定項目を切り替えるメニューボタン９２が設けられている。メニューボタン９２は、左右に配置された２つのボタンで構成され、それぞれ左向きの矢印又は右向きの矢印が表記されている。左右いずれかのメニューボタン９２が押される毎に、表示される設定項目が決められた順に順次切り替わる。
＜スキャナ部１０の構成＞
スキャナ部１０は、図２及び図３に示すように、原稿５が載置される原稿台ガラス１２と、原稿台ガラス１２に載置された原稿５の読み取り面を原稿台ガラス１２側に押圧するための原稿台カバー１４と、原稿台ガラス１２を介して対向し原稿５と一定の間隔を保ちながら原稿５に沿って走査する読取キャリッジ１６（図３参照）と、読取キャリッジ１６を走査するための駆動手段１８と、読取キャリッジ１６を安定した状態にて走査させるための規制ガイド２０とで構成されている。  読取キャリッジ１６は、原稿台ガラス１２を介して原稿５に光を照射するための光源としての露光ランプ２２と、原稿５による反射光を集光させるレンズ２４と、原稿５による反射光をレンズ２４に導くための４枚のミラー２６、トレインズを透過した反射光を受光するＣＣＤセンサ２８と、規制ガイド２０と係合するガイド受け部２９とで構成されている。
【００２２】
ＣＣＤセンサ２８は、光信号を電気信号に変換するフォトダイオードが列状に配置された３本のリニアセンサで構成され、これら３本のリニアセンサは平行に配置されている。ＣＣＤセンサ２８は、図示しないＲ（レッド）、Ｇ（グリーン）、Ｂ（ブルー）の３つのフィルタを備え、リニアセンサ毎に異なる色のフィルタが設けられている。各リニアセンサはフィルタの色に対応した成分の光をそれぞれ検出する。例えば、Ｒのフィルタを備えたリニアセンサは赤色成分の光の強弱を検出する。３本のリニアセンサは、読取キャリッジ１６の移動方向（以下、「副走査方向」という）にほぼ直交する方向（以下、「主走査方向」という）に沿わされて配置される。
【００２３】
ＣＣＤセンサ２８の長さは、読み取り可能な原稿５の幅（主走査方向の長さ）より十分短いため、原稿５の反射光による像は、レンズ２４によって縮小させてＣＣＤセンサ２８上に結像させることになる。すなわち、原稿５とＣＣＤセンサ２８との間に介在されるレンズ２４は、ＣＣＤセンサ２８側に近づけて配置するとともに、原稿５とレンズ２４との距離を長く設定する必要があり長い光路長が要求される。このため、走査する読取キャリッジ１６の限られたスペースの中で原稿５とレンズ２４との距離を確保すべく４枚のミラー２６にて反射させて長い光路長を確保している。
【００２４】
また、原稿５による反射光は、４枚のミラー２６によって反射され、レンズ２４を透過してＣＣＤセンサ２８に至るが、３本のリニアセンサは平行に配置されているため、各リニアセンサに同時に結像する反射光の原稿に対する反射位置は、リニアセンサの間隔分だけ副走査方向にズレが生じることになる。このため、制御回路５０のスキャナコントロールユニット５８では、このズレを補正するためのライン間補正処理が行われる。
【００２５】
規制ガイド２０は、副走査方向に沿って設けられ、ステンレス製の円筒材で形成されている。この規制ガイド２０は、読取キャリッジ１６に設けられ、スラスト軸受けでなる２カ所のガイド受け部２９を貫通している。読取キャリッジ１６に設けられた２カ所のガイド受け部２９の副走査方向における間隔を広げることにより、読取キャリッジ１６を安定させて走査させることが可能となる。
【００２６】
駆動手段１８は、読取キャリッジ１６に固定された環状のタイミングベルト１８１と、このタイミングベルト１８１と噛み合うプーリ１８２を備え、副走査方向の一方の端部側に配置されたパルスモータ１８３と、他方の端部側に配置されてタイミングベルト１８１に張力を付与するアイドラプーリー１８４とで構成されている。このパルスモータ１８３は、制御回路５０のスキャナコントロールユニット５８により駆動されるが、パルスモータ１８３の速度に応じて変更される読取キャリッジ１６の走査速度により、読み取った画像を副走査方向に拡大及び縮小することが可能となる。
【００２７】
そして、スキャナ部１０では、露光ランプ２２の光を原稿５に照射し、その反射光をＣＣＤセンサ２８上に結像させつつ、読取キャリッジ１６を原稿５に沿って移動させる。このとき、ＣＣＤセンサ２８が受光した光量を示す電圧値として所定の周期で読み込むことにより、１周期の間に読み取りキャリッジ１６が移動した距離分の画像を、出力する画像の１ライン分のデータとして取り込んでいく。このとき、１ライン分のデータとして、Ｒ成分、Ｇ成分、Ｂ成分の３つのデータが取り込まれる。
＜プリンタ部３０の構成＞
図６は記録ヘッド周辺の配置を示した説明図、図７は被記録媒体搬送機構の駆動部を説明するための説明図である。次に、図３、図６、図７を参照してプリンタ部３０について説明する。
【００２８】
プリンタ部３０は、カラー画像の出力が可能な構成であり、例えば、シアン（Ｃ）、マゼンタ（Ｍ）、イエロ（Ｙ）、ブラック（Ｋ）の４色の色インクを、記録用紙等の媒体上に吐出してドットを形成することによって画像を形成するインクジェット方式を採用している。なお、色インクとして、上記４色に加えて、ライトシアン（薄いシアン、ＬＣ）、ライトマゼンタ（薄いマゼンタ、ＬＭ）、ダークイエロ（暗いイエロ、ＤＹ）を用いてもよい。 
プリンタ部３０は、図示するように、書込キャリッジ３６に搭載された記録ヘッド３８を駆動してインクの吐出及びドット形成を行う機構と、この書込キャリッジ３６をキャリッジモータ４０によって被記録媒体５の搬送方向と直交する方向に往復動させる機構と、紙送りモータ（以下、ＰＦモータともいう）４２によって給紙トレイ３２１（図１参照）から供給される被記録媒体５を搬送する機構とを有している。
【００２９】
インクの吐出及びドット形成を行う機構は、インク吐出部としての複数のノズルを備えた記録ヘッド３８を備え、記録指令信号に基づいて所定のノズルからインクを吐出させる。記録ヘッド３８の下面３８１には、被記録媒体５の搬送方向に沿って、複数のノズルが列をなし、被記録媒体５の搬送方向と直交する方向に複数列設けられている。記録ヘッド３８には各ノズルに対応させて１６ビットのメモリを備えており、後述するヘッドコントロールユニットからは、各ノズルに１６ビット単位でデータが転送される。
【００３０】
書込キャリッジ３６を往復動させる機構は、図３に示すように、書込キャリッジ３６を駆動するキャリッジモータ（以下、ＣＲモータともいう）４０と、被記録媒体５の搬送方向と直交する方向に設けられ、書込キャリッジ３６を摺動可能に保持する摺動軸４４と、書込キャリッジ３６に固定されたリニア式エンコーダ４６と、所定の間隔にスリットが形成されたリニア式エンコーダ用符号板４６１と、キャリッジモータ４０の回転軸に取付けられたプーリ４８と、プーリ４８によって駆動されるタイミングベルト４９から構成されている。
【００３１】
書込キャリッジ３６には、記録ヘッド３８と、この記録ヘッド３８と一体に設けられたカートリッジ装着部が固定され、このカートリッジ装着部には、黒（Ｋ）、シアン（Ｃ）、マゼンタ（Ｍ）、イエロ（Ｙ）等のインクが収容されたインクカートリッジが装着される。
【００３２】
給紙トレイ３２１から供給される被記録媒体５を搬送する機構は、図６に示すように、記録ヘッド３８と対向して配置され、被記録媒体５と記録ヘッド３８とが適切な距離となるように被記録媒体５を案内する案内部材としてのプラテン３５と、このプラテン３５に対し被記録媒体５の搬送方向の上流側に設けられ、供給された被記録媒体５をプラテン３５に所定の角度にて接触するように搬送する搬送ローラ３７と、プラテン３５に対し被記録媒体５の搬送方向の下流側に設けられ、搬送ローラ３７から外れた被記録媒体５を搬送して排紙するための排紙ローラ３９と、搬送ローラ３７及び排紙ローラ３９を駆動するためのＰＦモータ４２と、被記録媒体５の搬送量を検出するためのロータリ式エンコーダ４７と、被記録媒体５の有無及び被記録媒体５の先端・後端を検出するための被記録媒体検出センサ４５とを有している。
【００３３】
搬送ローラ３７は被記録媒体５の搬送経路下側に設けられており、その上側には搬送ローラ３７と対向させて被記録媒体５を保持するための従動ローラ３７１が設けられている。排紙ローラ３９も被記録媒体５の搬送経路下側に設けられて、その上側に排紙ローラ３９と対向させて被記録媒体５を保持するための従動ローラ３９１が設けられているが、排紙ローラ３９と対向する従動ローラ３９１は薄板でなり外周部に細かな歯が設けられたローラであり、記録後の被記録媒体５の表面と接触してもインクが擦れないように構成されている。
【００３４】
また、搬送ローラ３７と被記録媒体５との接触位置は、プラテン３５と被記録媒体５との接触位置より高くなるように配置されている。すなわち搬送ローラ３７から搬送された被記録媒体５はプラテン３５と所定の角度にて接触し、さらに搬送される。これにより、被記録媒体５はプラテン３５の後述する案内面３５１に押し付けられるように沿わされて搬送される。このため、プラテン３５によって被記録媒体５をノズルから適正な位置に維持させて良好な画像を得ることが可能となる。
【００３５】
また、搬送ローラ３７と排紙ローラ３９とは、ギア列３１により繋げられ、ＰＦモータ４２の回転が伝達されて回動され、両ローラ３７，３９による被記録媒体５の搬送速度は一致している。
【００３６】
プラテン３５は、記録ヘッド３８の下面３８１、即ちノズルが設けられている面と対向し、被記録媒体５を接触させて案内する案内面３５１（図３参照）を有している。この案内面３５１は、記録ヘッド３８の下面３８１のノズルが設けられている領域より狭く形成され、被記録媒体５の搬送方向における最上流側および最下流側に位置するノズルの幾つかはプラテン３５と対向していない。これにより、被記録媒体５の先端及び後端を記録する際に、被記録媒体５の外側に吐出したインクがプラテン３５に付着することを防止し、その後搬送される被記録媒体５の裏面が汚れることを防止している。すなわち、上流側端及び下流側端のノズルと対向する位置にはプラテン３５を設けることなく空間としている。そしてこの空間部分には、プラテン３５の案内面３５１より低い位置にインク受けを備え、不要なインクを回収してプリンタ部３０内が汚れないようにしている。
【００３７】
被記録媒体検知センサ４５は、図６に示すように、搬送ローラ３７より搬送方向の上流側に設けられ、被記録媒体５の搬送経路より高い位置に回動中心を持つレバー４５１とその上方に設けられ、発光部と受光部とを有する透過型光センサ４５２とを有している。レバー４５１は、自重によって搬送経路に垂れ下がるように配置され給紙トレイ３２１から供給された被記録媒体５によって回動される作用部４５３と、この作用部４５３と回動中心を挟んで反対側に位置し、発光部と受光部との間を通過するように設けられた遮光部４５４とで構成されている。そして、被記録媒体検知センサ４５は、供給された被記録媒体５によりレバー４５１が押され、被記録媒体５が所定位置に達すると遮光部４５４は発光部が発した光を遮るため、被記録媒体５が所定の位置に達したことが検出される。その後、搬送ローラ７により被記録媒体５が搬送されて、被記録媒体５の後端が通過するトレイバー４５１は自重によって垂れ下がり、遮光部４５４が発光部と受光部との間から外れ、発光部の光が受光部に受光され、被記録媒体５の後端が所定の位置に到達したことを検出する。したがって、遮光部４５４が発光部の光を遮っている間は、少なくとも搬送経路内に被記録媒体５が存在することが検出される。
【００３８】
図８に、ＰＣ１００および記録装置１の機能ブロック図を示す。
【００３９】
ＰＣ１００には、記録装置１のスキャナ部１０により読み取った画像をディスプレイ１００Ａに映し出し、ディスプレイ１００Ａの画面上で直接、文字及び画像、或いは写真等の入力又は貼り付けが可能な文字・画像編集用ソフトウェア（以下、単に文字・画像編集ソフトと呼ぶ）１０１がインストールされている。また、文字・画像編集ソフト１０１を用いて作成した記録用データを記録装置１のプリンタ部３０が理解可能なコマンドに変換し、また、上述したスキャナ部１０により取り込んだ原稿５のＲ、Ｇ、Ｂの３原色に色分解された画像情報をプリンタ部３０が記録可能なインクの色であるＣ、Ｍ、Ｙ、Ｋに色変換するプリンタ部３０の制御用ソフトウェアであるプリンタドライバ１０８もインストールされている。即ち、ＰＣ１００は、文字・画像編集ソフト１０１と、プリンタドライバ１０８とを備えている。
【００４０】
文字・画像編集ソフト１０１が記録命令を発すると、ＰＣ１００のプリンタドライバ１０８が、文字・画像編集ソフト１０１において生成された記録用データを受け取り、これをプリンタ部３０に供給するため種々の変換を行う。かかる変換は、例えば、上述した色変換処理の他、解像度変換処理、色変換処理、ハーフトーン処理などが挙げられる。
【００４１】
プリンタドライバ１０８は、プリンタ部３０が解析可能なデータを生成する機能を実現するためのプログラムに相当する。文字・画像編集ソフト１０１及びプリンタドライバ１０８の機能を実現するためのプログラムは、コンピュータ読み取り可能な被記録媒体に記録された形態で供給される。このような被記録媒体としては、フレキシブルディスクやＣＤ−ＲＯＭ、光磁気ディスク、ＩＣカード、ＲＯＭカートリッジ、パンチカード、バーコードなどの符号が記録された記録物、コンピュータの内部記憶装置（ＲＡＭやＲＯＭなどのメモリ）および、外部記憶装置等のコンピュータが読み取り可能な種々の媒体を利用できる。
【００４２】
次に、プリンタ部３０の機能ブロックを説明する。プリンタ部３０は、ＣＰＵ、ＲＯＭ、ＲＡＭを備えるマイクロコンピュータとして構成された制御ユニットを備えている。制御ユニットは、検出部２０１と、記録制御部２０２と、通信部２０３と、主制御部２０４とを備えている。これらの機能ブロックは、プリンタ部３０内に、ソフトウェア的に構成され、主制御部２０４により制御されている。各機能ブロックは、ハードウェア的に構成されていることとしても良い。
【００４３】
検出部２０１は、記録ヘッド３８に装着され、被記録媒体の外形寸法、形状、中心位置、記録領域情報などを検出するスキャナ素子３８ａを制御すると共に、取得した情報から記録領域を検出する機能を奏する。記録制御部２０２は、ＰＣ１００から受け取った記録用データを記録する機能を奏する。通信部２０３は、ＰＣ１００とプリンタ部３０の間の通信やスキャナ部１０とプリンタ部３０の間の通信を行う。主制御部２０４は、プリンタ部３０の全般に亘る各種動作を制御する。
【００４４】
以上に説明したシステム構成により、本実施形態の記録システムＲＳは、非定型用紙等の被記録媒体における所定の記録領域に記録を行う場合に、当該被記録媒体のスキャンを２回行い、２度目のスキャンで読み取った被記録媒体の記録領域と、記録すべき記録情報とが適合するか否かを判定しながら記録を行うことで、当該記録領域への正確な記録を実行している。
【００４５】
図９は、プリンタ部３０が、非定型用紙としてのＭＤラベルシート５の所定の記録領域を検出し、かかる検出結果に基づいて、文字・画像編集ソフト１０１により生成された記録データを当該記録領域に記録する処理の例示である。
【００４６】
上述したように、プリンタ部３０には、キャリッジガイド軸２０に摺動可能に取り付けられ、記録制御部２０２からの制御信号により主走査方向Ｘに移動する書込キャリッジ３６が設けられている。書込キャリッジ３６には、被記録媒体にインクを吐出して記録を行う記録ヘッド３８が搭載され、書込キャリッジ３６を主走査方向Ｘに搬送し、被記録媒体を副走査方向Ｙに搬送しながら、記録ヘッド３８がインクジェットノズル３８ｂから被記録媒体にインクを吐出することで、被記録媒体に記録が行われる。即ち、書込キャリッジ３６と、この書込キャリッジ３６に搭載された記録ヘッド３８とにより記録ヘッドユニット３６３８が構成されている。プリンタ部３０は、上述したように、被記録媒体を副走査方向Ｙに搬送する被記録媒体搬送手段としての搬送ローラ３７や、記録された被記録媒体を排出する排出手段としての排紙ローラ３９を設けている。本実施形態では、被記録媒体とは、非定型用紙としてのＭＤラベルシート５を示すものとする。
【００４７】
ＭＤラベルシート５は、図示するように矩形状を有し、そのうちの一部にユーザがＭＤに保存したデータ等の内容を表示するために文字、図形、記号等を記載或いは記録等するための記録領域ＲＡを含んでいる。
【００４８】
記録ヘッドユニット３６３８には、スキャナ素子３８ａが設けられており、本実施形態では、スキャナ素子３８ａとしては、ＣＣＤレンズを用いており、記録領域を示す罫線や記録予定の文字、図形等が発する光を電気信号に変えて検出し、他の部分が発する光を電気信号に変えて検出したものと比較することで、記録領域を示す罫線や記録された文字、図形等を検出することとした。
【００４９】
プリンタ部３０における非定型用紙としてのＭＤラベルシート５の記録領域の検出は、以下のようにして行われる。
【００５０】
非定型用紙としてのＭＤラベルシート５が給紙口にセットされるとともに、副走査方向Ｙに送られたものとする。
【００５１】
（１）非定型用紙としてのＭＤラベルシート５が正しく給紙口にセットされた場合
尚、ここでいう給紙口は、排紙部３４側に形成された手差し用の給紙口でも良いし、被記録媒体供給部３２側、即ち、ＭＤラベルシート５を給紙トレイ３２１にセットすることにより、被記録媒体供給部３２によりＭＤラベルシート５が記録部に供給される場合でも良い。
【００５２】
記録ヘッドユニット３６３８は、ＰＣ１００より入力された記録位置まで移動し、ある一定の大きさの領域、例えば、図９（Ａ）に示す領域Ａだけ記録用紙のスキャンを行う。尚、ＰＣ１００側で用紙端から記録位置までのＸＹ方向の距離を算出しておくものとする。
【００５３】
記録ヘッドユニット３６３８に設けられたスキャナ素子３８ａにより得られる画像情報（＝領域Ａ）と一致する画素情報を、一度目のスキャンで得られた画像情報のある範囲内（＝領域Ｃ内）より検索、一致する部分（＝領域Ｂ）が見つかった時点で、ＰＣ１００による入力に基づき、正確な位置に記録を実行する。
【００５４】
ＰＣ１００側で算出した用紙端から記録位置までのＸＹ方向の距離情報だけでは、用紙セットのずれや、ヘッド駆動機構の誤差等により記録位置に誤差を生じる場合がある。
しかし、上述したように、２つのスキャンデータの照合を行うことでインクを吐出しながら常に記録位置を確認し、仮に僅かにずれていたとしても記録のタイミングで微調整することが可能になる。
【００５５】
（２）非定型用紙としてのＭＤラベルシート５が正しく給紙口にセットされていない場合
記録ヘッドユニット３６３８は、ＰＣ１００より入力された記録位置まで移動し、ある一定の大きさの領域、例えば、図９（Ａ）に示す領域Ａだけ記録用紙のスキャンを行う。尚、ＰＣ１００側で用紙端から記録位置までのＸＹ方向の距離を算出しておくものとする。
【００５６】
記録ヘッドユニット３６３８に設けられたスキャナ素子３８ａにより得られる画像情報（＝領域Ａ）と一致する画素情報を、一度目のスキャンで得られた画像情報のある範囲内（＝領域Ｃ内）より検索し、一致する部分（＝領域Ｂ）が見つからない場合は、記録を実行せず、例えば、図５に示した記録装置１の操作パネル部７０の報知ランプ７４を点灯してユーザにエラー発生を報知する。更に、液晶ディスプレイ７２の画面上にエラーメッセージを表示する等により、その旨をユーザに報知するようにしても良い。尚、ＰＣ１００のディスプレイ１００Ａの画面上にエラーメッセージを表示するようにしても良い。上述したような不具合が生じる原因は、記録用紙等の斜め挿入、上下や表裏の逆挿入等が考えられる。本実施形態では、このような場合には、記録を実行しないので、不慮の用紙挿入による無駄記録を未然に防止することができる。
【００５７】
図１０は、本実施形態における記録処理のフローチャートである。
【００５８】
まず、ユーザが記録装置１のスキャナ部１０を起動させ、スキャン操作を実行すると、スキャナ部１０の原稿台ガラス１２上にスキャンすべき原稿があるか否かが判定される（ステップＳ１０１）。スキャンすべき原稿５がある場合には、原稿５をスキャンする（ステップＳ１０２）。スキャンすべき原稿５が無い場合には、例えば、操作パネル部７０の報知ランプ７４を点灯してユーザにエラー発生を報知する。液晶ディスプレイ７２の画面上にエラーメッセージを表示しても良い（ステップＳ１０３）。
【００５９】
続いて、原稿５をスキャンすることにより取り込んだ画像をＰＣ１００のディスプレイ１００Ａ上に表示する（ステップＳ１０４）。ユーザは、このディスプレイ１００Ａの画面上に表示された取り込み画像を見ながら、原稿５を構成するＭＤラベルシートの所定の記録領域に記録すべき文字や画像を入力する（ステップＳ１０５）。この後、ユーザは、被記録媒体としての原稿（ＭＤラベルシート）５をプリンタ部１０へセットする（ステップＳ１０６）と共に、例えば、ＰＣ１００のディスプレイ１００Ａの画面上に形成された記録の起動用のアイコン等をクリックすると、まず、記録装置１のプリンタ部３０により記録前処理が開始される（ステップＳ１０７）。この記録前処理の内容は、文字・画像編集ソフト１０１により入力されたデータをイメージバッファユニットに展開した後、記録ヘッド３８に転送して各ノズルをオンオフするデータとしてセットする等である。この後、記録装置１のプリンタ部３０の記録ヘッドユニット３６３８に設けられたスキャナ素子３８ａが被記録媒体としての原稿（ＭＤラベルシート）５をスキャンする（ステップＳ１０８）。記録装置１のプリンタ部３０は、被記録媒体としての原稿（ＭＤラベルシート）５が取り込み画像情報と一致するか否かを判定する（ステップＳ１０９）。一致する場合には、記録装置１のプリンタ部３０は記録を実行する（ステップＳ１１０）。一致しない場合には、記録装置１のプリンタ部３０は記録を実行せず、上述したように、図５に示した記録装置１の操作パネル部７０の液晶ディスプレイ７２の画面上にエラーメッセージを表示する等により、その旨をユーザに報知する（ステップＳ１０３）。
【００６０】
尚、以上に述べた実施形態は、本発明の実施形態の一例であり。本発明の範囲はこれらに限定されるものではなく、特許請求の範囲に記載した範囲内で、他の様々な実施形態に適用可能である。
【００６１】
例えば、上述した実施形態では、画像処理手段としてのＰＣ１００と、ＰＣ１００に接続された画像表示手段としてのディスプレイ１００Ａと、記録手段（第２の画像読取手段を含む）及び判定手段としての記録装置（プリンタ複合機）１とにより記録システムＲＳを構成したが、記録装置（プリンタ複合機）１がＰＣ１００と同様の画像処理機能を有するものである場合には、ＰＣ１００を設けない構成としても良い。また、記録装置（プリンタ複合機）１の操作パネル部７０を画像表示手段として用いる等により、ディスプレイ１００Ａを設けない構成も勿論可能である。
【００６２】
一方、記録装置１に、プリンタ複合機ではなく、例えば、通常のインクジェットプリンタを用い、スキャナ部１０の代わりに、第１の画像読取手段としてのフラットベッドスキャナを用いるようにしても良い。このように、本発明では、記録システムＲＳをＰＣとその周辺機器としての一般的なプリンタやスキャナにより比較的簡易に構成できるのが特色である。
【産業上の利用可能性】
【００６３】
第１の画像読取手段と第２の画像読取手段を有する記録システム乃至は装置であれば、例えばファクシミリ装置、コピー装置等であっても適用可能である。
【図面の簡単な説明】
【００６４】
【図１】本発明の実施形態における記録システムの概略構成を表す図である。
【図２】スキャナ部のカバーを開いた状態を示す斜視図である。
【図３】記録装置の内部構成を示す説明図である。
【図４】プリンタ部の内部を露出させた状態を示す斜視図である。
【図５】操作パネル部の一例を示す図である。
【図６】記録ヘッド周辺の配置を示した説明図である。
【図７】被記録媒体搬送機構の駆動部を説明するための説明図である。
【図８】本発明の実施形態における記録システムの構成を表す機能ブロック図である。
【図９】本発明の実施形態における記録システムにおいて、プリンタ部がＭＤラベルシートの所定の記録領域を検出した結果に基づいて、記録データを当該記録領域に記録する処理を説明するための図である。
【図１０】本発明の実施形態における記録システムにおける記録処理のフローチャートである。
【符号の説明】
【００６５】
１  記録装置、５  原稿、１０  スキャナ部、１２  原稿台ガラス、
１４  原稿台カバー、１６  読取キャリッジ、１８  駆動手段、
３０  プリンタ部、３２  被記録媒体供給部、３４  排紙部、
３４１  排紙トレイ、３５  プラテン、３６  書込キャリッジ、３７  搬送ローラ、
３８  記録ヘッド、３８ａ  スキャナ素子、  ３８ｂ  インクジェットノズル、
３９  排紙ローラ、３９１  従動ローラ、４０  キャリッジモータ、４１  ヒンジ機構、４２  紙送りモータ（ＰＦモータ）、
４５  被記録媒体検出センサ、５０  制御回路、
７０  操作パネル部、７２  液晶ディスプレイ、７４  報知ランプ、７６  電源ボタン、
【図１】
2006272652.tif 000003
【図２】
2006272652.tif 000004
【図３】
2006272652.tif 000005
【図４】
2006272652.tif 000006
【図５】
2006272652.tif 000007
【図６】
2006272652.tif 000008
【図７】
2006272652.tif 000009
【図８】
2006272652.tif 000010
【図９】
2006272652.tif 000011
【図１０】
2006272652.tif 000012